(57)【要約】【構成】イメージャ１６によって捉えられた撮像シーンを表すスルー画像は、イメージャ１６の処理と並列してＬＣＤモニタ３８に表示される。また、記録媒体４４内の所望の画像ファイルに収められた画像データに基づくサムネイル画像は、スルー画像と並列してＬＣＤモニタ３８に表示される。撮像シーンに現れた人物の顔に相当する顔を表す部分画像は、表示されたサムネイル画像の基礎となる画像データから探索される。サムネイル画像の表示態様は、探知された部分画像が拡大されるように制御される。【効果】操作性が向上する。【選択図】図２
2014146993.tif 000002
【特許請求の範囲】
【請求項１】
撮像手段によって捉えられたシーンを表す動画像を前記撮像手段の処理と並列して表示する第１表示手段、
記録媒体に保存された所望の静止画像を前記第１表示手段の処理と並列して表示する第２表示手段、
前記シーンに現れた物体に相当する物体を表す部分画像を前記第２表示手段によって表示された静止画像から探索する探索手段、および
前記探索手段によって探知された部分画像が拡大されるように前記第２表示手段の表示態様を制御する制御手段を備える、電子カメラ。
【請求項２】
記録操作を受け付けたとき前記撮像手段から出力された電子画像に基づいて静止画像を作成する作成手段、および
前記作成手段によって作成された静止画像を前記記録媒体に保存する保存手段をさらに備える、請求項１記載の電子カメラ。
【請求項３】
前記探索手段は、辞書画像に符合する物体像を前記第１表示手段の表示対象から探索する第１画像探索手段、および前記辞書画像に符合する物体像を前記第２表示手段の表示対象から探索する処理を前記第１画像探索手段の探知に対応して実行する第２画像探索手段を含む、請求項１または２記載の電子カメラ。
【請求項４】
前記辞書画像は一般画像と複数の登録画像とを含み、
前記第１画像探索手段は前記一般画像を参照して探索処理を実行し、
前記第２画像探索手段は前記複数の登録画像のうち前記第１画像探索手段によって探知された物体像に対応する登録画像を参照して探索処理を実行する、請求項３記載の電子カメラ。
【請求項５】
前記第１表示手段は第１サイズを有するモニタ画面に前記動画像を表示し、
前記第２表示手段は前記第１サイズよりも小さい既定の第２サイズを有して前記モニタ画面に割り当てられた多重領域に前記静止画像を表示する、請求項１ないし４のいずれかに記載の電子カメラ。
【請求項６】
前記第２表示手段の表示対象を更新操作に応答して更新する更新手段をさらに備える、請求項１ないし５のいずれかに記載の電子カメラ。
【請求項７】
前記物体は人物または動物の顔部に相当する、請求項１ないし６のいずれかに記載の電子カメラ。
【請求項８】
電子カメラのプロセッサに、
撮像手段によって捉えられたシーンを表す動画像を前記撮像手段の処理と並列して表示する第１表示ステップ、
記録媒体に保存された所望の静止画像を前記第１表示ステップの処理と並列して表示する第２表示ステップ、
前記シーンに現れた物体に相当する物体を表す部分画像を前記第２表示ステップによって表示された静止画像から探索する探索ステップ、および
前記探索ステップによって探知された部分画像が拡大されるように前記第２表示ステップの表示態様を制御する制御ステップを実行させるための、撮像制御プログラム。
【請求項９】
電子カメラによって実行される撮像制御方法であって、
撮像手段によって捉えられたシーンを表す動画像を前記撮像手段の処理と並列して表示する第１表示ステップ、
記録媒体に保存された所望の静止画像を前記第１表示ステップの処理と並列して表示する第２表示ステップ、
前記シーンに現れた物体に相当する物体を表す部分画像を前記第２表示ステップによって表示された静止画像から探索する探索ステップ、および
前記探索ステップによって探知された部分画像が拡大されるように前記第２表示ステップの表示態様を制御する制御ステップを備える、撮像制御方法。
【請求項１０】
メモリに保存された内部制御プログラムに従う処理を実行するプロセッサを備える電子カメラに供給される外部制御プログラムであって、
撮像手段によって捉えられたシーンを表す動画像を前記撮像手段の処理と並列して表示する第１表示ステップ、
記録媒体に保存された所望の静止画像を前記第１表示ステップの処理と並列して表示する第２表示ステップ、
前記シーンに現れた物体に相当する物体を表す部分画像を前記第２表示ステップによって表示された静止画像から探索する探索ステップ、および
前記探索ステップによって探知された部分画像が拡大されるように前記第２表示ステップの表示態様を制御する制御ステップを前記内部制御プログラムと協働して前記プロセッサに実行させるための、外部制御プログラム。
【請求項１１】
外部制御プログラムを取り込む取り込み手段、および
前記取り込み手段によって取り込まれた外部制御プログラムとメモリに保存された内部制御プログラムとに従う処理を実行するプロセッサを備える電子カメラであって、
前記外部制御プログラムは、
撮像手段によって捉えられたシーンを表す動画像を前記撮像手段の処理と並列して表示する第１表示ステップ、
記録媒体に保存された所望の静止画像を前記第１表示ステップの処理と並列して表示する第２表示ステップ、
前記シーンに現れた物体に相当する物体を表す部分画像を前記第２表示ステップによって表示された静止画像から探索する探索ステップ、および
前記探索ステップによって探知された部分画像が拡大されるように前記第２表示ステップの表示態様を制御する制御ステップを前記内部制御プログラムと協働して実行するプログラムに相当する、電子カメラ。
【発明の詳細な説明】
【技術分野】
【０００１】
この発明は、電子カメラに関し、特に撮像シーンを表す動画像を撮像処理と並列してモニタ画面に表示する、電子カメラに関する。
【背景技術】
【０００２】
この種のカメラの一例が、特許文献１に開示されている。この背景技術によれば、前回の撮影操作によってメモリカードに記録された画像データに基づく小画像が、撮像素子によって捉えられたシーンを表すスルー画像に半透明で重畳される。
【先行技術文献】
【特許文献】
【０００３】
【特許文献１】特開２００８−２９４７０４号公報
【発明の概要】
【発明が解決しようとする課題】
【０００４】
しかし、小画像は視認性においてスルー画像に劣るため、背景技術では操作性に限界がある。
【０００５】
それゆえに、この発明の主たる目的は、操作性を高めることができる、電子カメラを提供することである。
【課題を解決するための手段】
【０００６】
この発明に従う電子カメラ(10：実施例で相当する参照符号。以下同じ)は、撮像手段(16)によって捉えられたシーンを表す動画像を撮像手段の処理と並列して表示する第１表示手段(S1~S3)、記録媒体(44)に保存された所望の静止画像を第１表示手段の処理と並列して表示する第２表示手段(S55~S59)、シーンに現れた物体に相当する物体を表す部分画像を第２表示手段によって表示された静止画像から探索する探索手段(S31~S41, S45, S61, S81~S87)、および探索手段によって探知された部分画像が拡大されるように第２表示手段の表示態様を制御する制御手段(S89~S91)を備える。
【０００７】
好ましくは、記録操作を受け付けたとき撮像手段から出力された電子画像に基づいて静止画像を作成する作成手段(S15, S19)、および作成手段によって作成された静止画像を記録媒体に保存する保存手段(S21)がさらに備えられる。
【０００８】
好ましくは、探索手段は、辞書画像に符合する物体像を第１表示手段の表示対象から探索する第１画像探索手段(S31~S39)、および辞書画像に符合する物体像を第２表示手段の表示対象から探索する処理を第１画像探索手段の探知に対応して実行する第２画像探索手段(S61, S81~S87)を含む。
【０００９】
さらに好ましくは、辞書画像は一般画像と複数の登録画像とを含み、第１画像探索手段は一般画像を参照して探索処理を実行し、第２画像探索手段は複数の登録画像のうち第１画像探索手段によって探知された物体像に対応する登録画像を参照して探索処理を実行する。
【００１０】
好ましくは、第１表示手段は第１サイズを有するモニタ画面に動画像を表示し、第２表示手段は第１サイズよりも小さい既定の第２サイズを有してモニタ画面に割り当てられた多重領域に静止画像を表示する。
【００１１】
好ましくは、第２表示手段の表示対象を更新操作に応答して更新する更新手段(S65, S69)がさらに備えられる。
【００１２】
好ましくは、物体は人物または動物の顔部に相当する。
【００１３】
この発明に従う撮像制御プログラムは、電子カメラ(10)のプロセッサ(26)に、撮像手段(16)によって捉えられたシーンを表す動画像を撮像手段の処理と並列して表示する第１表示ステップ(S1~S3)、記録媒体(44)に保存された所望の静止画像を第１表示ステップの処理と並列して表示する第２表示ステップ(S55~S59)、シーンに現れた物体に相当する物体を表す部分画像を第２表示ステップによって表示された静止画像から探索する探索ステップ(S31~S41, S45, S61, S81~S87)、および探索ステップによって探知された部分画像が拡大されるように第２表示ステップの表示態様を制御する制御ステップ(S89~S91)を実行させるための、撮像制御プログラムである。
【００１４】
この発明に従う撮像制御方法は、電子カメラ(10)によって実行される撮像制御方法であって、撮像手段(16)によって捉えられたシーンを表す動画像を撮像手段の処理と並列して表示する第１表示ステップ(S1~S3)、記録媒体(44)に保存された所望の静止画像を第１表示ステップの処理と並列して表示する第２表示ステップ(S55~S59)、シーンに現れた物体に相当する物体を表す部分画像を第２表示ステップによって表示された静止画像から探索する探索ステップ(S31~S41, S45, S61, S81~S87)、および探索ステップによって探知された部分画像が拡大されるように第２表示ステップの表示態様を制御する制御ステップ(S89~S91)を備える。
【００１５】
この発明に従う外部制御プログラムは、メモリ(46)に保存された内部制御プログラムに従う処理を実行するプロセッサ(26)を備える電子カメラ(10)に供給される外部制御プログラムであって、撮像手段(16)によって捉えられたシーンを表す動画像を撮像手段の処理と並列して表示する第１表示ステップ(S1~S3)、記録媒体(44)に保存された所望の静止画像を第１表示ステップの処理と並列して表示する第２表示ステップ(S55~S59)、シーンに現れた物体に相当する物体を表す部分画像を第２表示ステップによって表示された静止画像から探索する探索ステップ(S31~S41, S45, S61, S81~S87)、および探索ステップによって探知された部分画像が拡大されるように第２表示ステップの表示態様を制御する制御ステップ(S89~S91)を内部制御プログラムと協働してプロセッサに実行させるための、外部制御プログラムである。
【００１６】
この発明に従う電子カメラ(10)は、外部制御プログラムを取り込む取り込み手段(48)、および取り込み手段によって取り込まれた外部制御プログラムとメモリ(46)に保存された内部制御プログラムとに従う処理を実行するプロセッサ(26)を備える電子カメラであって、外部制御プログラムは、撮像手段(16)によって捉えられたシーンを表す動画像を撮像手段の処理と並列して表示する第１表示ステップ(S1~S3)、記録媒体(44)に保存された所望の静止画像を第１表示ステップの処理と並列して表示する第２表示ステップ(S55~S59)、シーンに現れた物体に相当する物体を表す部分画像を第２表示ステップによって表示された静止画像から探索する探索ステップ(S31~S41, S45, S61, S81~S87)、および探索ステップによって探知された部分画像が拡大されるように第２表示ステップの表示態様を制御する制御ステップ(S89~S91)を内部制御プログラムと協働して実行するプログラムに相当する。
【発明の効果】
【００１７】
撮像シーンを表す動画像および記録済みの所望の静止画像は互いに並列して表示されるところ、撮像シーンに現れた物体に相当する物体を表す部分画像が静止画像から探知されると、探知された部分画像が拡大されるように静止画像の表示態様が制御される。操作者は、拡大された部分画像を確認しながら記録操作のタイミングを図ることができ、これによって操作性が向上する。
【００１８】
この発明の上述の目的，その他の目的，特徴および利点は、図面を参照して行う以下の実施例の詳細な説明から一層明らかとなろう。
【図面の簡単な説明】
【００１９】
【図１】この発明の一実施例の基本的構成を示すブロック図である。
【図２】この発明の一実施例の構成を示すブロック図である。
【図３】図１実施例に適用されるＳＤＲＡＭのマッピング状態の一例を示す図解図である。
【図４】（Ａ）は通常モードにおけるモニタ画面の表示態様の一例を示す図解図であり、（Ｂ）は参照画像再生モードにおけるモニタ画面の表示態様の一例を示す図解図である。
【図５】撮像面における評価エリアの割り当て状態の一例を示す図解図である。
【図６】図２実施例によって参照される顔探索辞書の一例を示す図解図である。
【図７】（Ａ）は撮像シーンを表すスルー画像の一例を示す図解図であり、（Ｂ）はＡＥ／ＡＦエリアの配置の一例を示す図解図である。
【図８】（Ａ）はシャッタボタンの操作が解除された状態でのスルー画像および再生画像の表示状態の一例を示す図解図であり、（Ｂ）はシャッタボタンが半押しされた状態でのスルー画像および再生画像の表示状態の一例を示す図解図であり、（Ｃ）はＡＥ／ＡＦエリアの配置の一例を示す図解図である。
【図９】図２実施例に適用されるＣＰＵの動作の一部を示すフロー図である。
【図１０】図２実施例に適用されるＣＰＵの動作の他の一部を示すフロー図である。
【図１１】図２実施例に適用されるＣＰＵの動作のその他の一部を示すフロー図である。
【図１２】図２実施例に適用されるＣＰＵの動作のさらにその他の一部を示すフロー図である。
【図１３】図２実施例に適用されるＣＰＵの動作の他の一部を示すフロー図である。
【図１４】この発明の他の実施例の構成を示すブロック図である。
【発明を実施するための形態】
【００２０】
以下、この発明の実施の形態を図面を参照しながら説明する。
［基本的構成］
【００２１】
図１を参照して、この実施例の電子カメラは、基本的に次のように構成される。第１表示手段１は、撮像手段５によって捉えられたシーンを表す動画像を撮像手段５の処理と並列して表示する。第２表示手段２は、記録媒体６に保存された所望の静止画像を第１表示手段１の処理と並列して表示する。探索手段３は、シーンに現れた物体に相当する物体を表す部分画像を第２表示手段２によって表示された静止画像から探索する。制御手段４は、探索手段３によって探知された部分画像が拡大されるように第２表示手段２の表示態様を制御する。
【００２２】
撮像シーンを表す動画像および記録済みの所望の静止画像は互いに並列して表示されるところ、撮像シーンに現れた物体に相当する物体を表す部分画像が静止画像から探知されると、探知された部分画像が拡大されるように静止画像の表示態様が制御される。操作者は、拡大された部分画像を確認しながら記録操作のタイミングを図ることができ、これによって操作性が向上する。
［実施例］
【００２３】
図２を参照して、この実施例のディジタルカメラ１０は、ドライバ１８ａおよび１８ｂによってそれぞれ駆動されるフォーカスレンズ１２および絞りユニット１４を含む。これらの部材を経た光学像は、イメージャ１６の撮像面に照射され、光電変換を施される。これによって、光学像に対応する電荷が生成される。
【００２４】
電源が投入されると、ＣＰＵ２６は、動画取り込みの実行をドライバ１８ｃ，前処理回路２０および後処理回路３４に命令し、動画表示の実行をＬＣＤドライバ３６に命令する。ドライバ１８ｃは、図示しないＳＧ(Signal Generator)から周期的に発生する垂直同期信号Ｖｓｙｎｃに応答して、撮像面を露光し、かつ撮像面で生成された電荷をラスタ走査態様で読み出す。イメージャ１６からは、読み出された電荷に基づく生画像データが周期的に出力される。
【００２５】
前処理回路２０は、イメージャ１６から出力された生画像データにディジタルクランプ，画素欠陥補正，ゲイン制御などの処理を施す。これらの処理を施された生画像データは、メモリ制御回路３０を通してＳＤＲＡＭ３２の前処理画像エリア３２ａ（図３参照）に書き込まれる。
【００２６】
後処理回路３４は、前処理画像エリア３２ａに格納された生画像データをメモリ制御回路３０を通して読み出し、読み出された生画像データに色分離処理，白バランス調整処理およびＹＵＶ変換処理を施す。これによって生成されたＹＵＶ形式の画像データは、メモリ制御回路３０によってＳＤＲＡＭ３２の後処理画像エリア３２ｂ（図３参照）に書き込まれる。
【００２７】
ＬＣＤドライバ３６は、後処理画像エリア３２ｂに格納された画像データをメモリ制御回路３０を通して繰り返し読み出し、読み出された画像データに基づいてＬＣＤモニタ３８を駆動する。この結果、撮像面で捉えられたシーンを表すリアルタイム動画像（スルー画像）がモニタ画面に表示される。
【００２８】
撮像モードは、キー入力装置２８に設けられたモードスイッチ２８ｍｄの操作によって通常モードと再生画像参照モードとの間で切り換えらえる。ここで、通常モードは、スルー画像のみをモニタ画面に表示するモードである。一方、再生画像参照モードは、記録媒体４４内の所望の画像ファイルに収められた画像データに基づくサムネイル画像をモニタ画面上のスルー画像に多重するモードである。
【００２９】
再生画像参照モードが選択されると、ＣＰＵ２６は、記録媒体４４に記録された最新の画像ファイルの再生をメモリＩ／Ｆ４２に命令する。メモリＩ／Ｆ４２は、指定画像ファイルに格納された画像データを読み出し、読み出された画像データをメモリ制御回路３０を通して再生画像エリア３２ｄ（図３参照）に書き込む。
【００３０】
ＣＰＵ２６はまた、サムネイル画像のズーム倍率および基準位置を初期化し、サムネイル表示の開始をＬＣＤドライバ３６に命令する。ＬＣＤドライバ３６は、再生画像エリア３２ｄに格納された画像データを上述のズーム倍率および基準位置を参照して読み出し、読み出された画像データに上述のズーム倍率に従うズーム処理を施し、そしてズーム処理によって作成されたサムネイル画像データに基づいてＬＣＤモニタ３８を駆動する。
【００３１】
再生画像エリア３２ｄからの画像データの読み出しは、後処理画像エリア３２ｂからの画像データの読み出しと並列して実行される。この結果、サムネイル画像は、スルー画像に多重表示される。
【００３２】
したがって、通常モードが選択された状態で人物を撮影するときは、スルー画像のみが図４（Ａ）に示す要領でモニタ画面に表示される。これに対して、再生画像参照モードが選択された状態で人物を撮影するときは、スルー画像およびサムネイル画像が図４（Ｂ）に示す要領でモニタ画面に表示される。
【００３３】
なお、サムネイル画像のサイズは、ズーム倍率に関係なく固定である。したがって、再生画像エリア３２ｄから読み出される画像データのサイズは、ズーム倍率の増大に伴って低減され、ズーム倍率の低減に伴って増大される。また、ズーム倍率および基準位置が初期値を示すとき、サムネイル画像データの画角は作成元の画像データの画角と一致する。また、再生すべき画像ファイルは、キー入力装置２８に設けられた更新ボタン２８ｕｄの操作に応答して更新される。
【００３４】
図５を参照して、撮像面の中央には評価エリアＥＶＡが割り当てられる。評価エリアＥＶＡは水平方向および垂直方向の各々において１６分割され、２５６個の分割エリアが評価エリアＥＶＡを形成する。また、図２に示す前処理回路２０は、上述した処理に加えて、生画像データを簡易的にＹデータに変換する簡易Ｙ変換処理を実行する。
【００３５】
ＡＥ評価回路２２は、前処理回路２０によって生成されたＹデータのうち評価エリアＥＶＡに属するＹデータを、垂直同期信号Ｖｓｙｎｃが発生する毎に積分する。これによって、２５６個の積分値つまり２５６個のＡＥ評価値が、垂直同期信号Ｖｓｙｎｃに応答してＡＥ評価回路２２から出力される。ＡＦ評価回路２４は、前処理回路２０によって生成されたＹデータのうち評価エリアＥＶＡに属するＹデータの高周波成分を、垂直同期信号Ｖｓｙｎｃが発生する毎に積分する。これによって、２５６個の積分値つまり２５６個のＡＦ評価値が、垂直同期信号Ｖｓｙｎｃに応答してＡＦ評価回路２４から出力される。
【００３６】
キー入力装置２８に設けられたシャッタボタン２８ｓｈが非操作状態にあるとき、ＣＰＵ２６は、ＡＥ評価回路２２から出力された２５６個のＡＥ評価値に基づいて簡易ＡＥ処理を実行し、適正ＥＶ値を算出する。算出された適正ＥＶ値を定義する絞り量および露光時間はドライバ１８ｂおよび１８ｃに設定され、これによってスルー画像の明るさが大まかに調整される。
【００３７】
フラッシュメモリ４６には、図６に示す顔探索辞書ＤＩＣが設けられる。図６によれば、単一の一般顔画像と４つの登録顔画像Ａ〜Ｄとが顔探索辞書ＤＩＣに収められる。辞書画像番号は、一般顔画像に対応して“０”を示し、登録顔画像Ａに対応して“１”を示し、登録顔画像Ｂに対応して“２”を示し、登録顔画像Ｃに対応して“３”を示し、そして登録顔画像Ｄに対応して“４”を示す。
【００３８】
シャッタボタン２８ｓｈが半押しされると、ＣＰＵ２６は、ＡＥ／ＡＦエリアのサイズおよび位置を調整するべく、顔探索辞書ＤＩＣを用いた動画用顔検出処理を以下の要領で実行する。
【００３９】
ＣＰＵ２６はまず、一般顔画像を探索用辞書画像として指定し（つまり、辞書画像番号を“０”に設定し）、後処理画像エリア３２ｂを探索エリアとして指定する。垂直同期信号Ｖｓｙｎｃが発生すると、ＣＰＵ２６は、顔探索命令を顔検出回路４０に向けて発行する。顔探索命令には、上述の要領で設定ないし指定された辞書画像番号および探索エリアが記述される。
【００４０】
顔検出回路４０は、後処理画像エリア３２ｂに格納された最新１フレームの画像データをメモリ制御回路３０を通して読み出し、探索用辞書画像（＝顔探索命令に記述された辞書画像番号に対応する顔画像）に符合する部分画像を読み出された画像データから探索し、そして顔探索結果を作成する。顔探索結果には、探索用辞書画像に符合する部分画像の探知／非探知を示す識別情報が記述される。また、識別情報が“探知”であれば、探知された部分画像のサイズおよび位置が顔探索結果に追記される。
【００４１】
ＣＰＵ２６は、こうして作成された顔探索結果を顔検出回路４０から取得し、取得された顔探索結果の記述に応じて異なる要領でＡＥ／ＡＦエリアのサイズおよび位置を設定する。ＡＥ／ＡＦエリアのサイズおよび位置は、顔探索結果に記述された識別情報が“探知”を示すとき顔探索結果に追記されたサイズおよび位置に合わせられ、顔探索結果に記述された識別情報が“非探知”を示すとき評価エリアＥＶＡのサイズおよび位置に合わせられる。
【００４２】
したがって、通常モードが選択された状態で、人物Ｐ＿Ｂの顔が図７（Ａ）に示す要領で捉えられたときは、図７（Ｂ）において太線で囲まれたエリアがＡＥ／ＡＦエリアとして設定される。
【００４３】
ＣＰＵ２６は続いて、ＡＥ評価回路２２から出力された２５６個のＡＥ評価値のうちＡＥ／ＡＦエリアに属する一部のＡＥ評価値に基づいて厳格ＡＥ処理を実行する。これによって最適ＥＶ値が算出され、算出された最適ＥＶ値を定義する絞り量および露光時間もまたドライバ１８ｂおよび１８ｃに設定される。この結果、ＡＥ／ＡＥエリアに属する画像の明るさが最適値を示すように、露光量が調整される。
【００４４】
ＣＰＵ２６はまた、ＡＦ評価回路２４から出力された２５６個のＡＦ評価値のうちＡＥ／ＡＦエリアに属する一部のＡＦ評価値に基づいて、ＡＦ処理を実行する。フォーカスレンズ１２は合焦点の探索のためにドライバ１８ａによって光軸方向に移動し、これによって発見された合焦点に配置される。この結果、スルー画像の鮮鋭度が向上する。
【００４５】
現時点の撮像モードが再生画像参照モードで、かつ動画用顔検出処理によって顔画像が探知されたとき、ＣＰＵ２６は、サムネイル画像のズーム倍率および基準位置を調整するべく、顔探索辞書ＤＩＣを用いた再生画用顔検出処理を以下の要領で実行する。
【００４６】
ＣＰＵ２６はまず、動画用顔検出処理によって探知された顔画像に符合する登録顔画像を顔探索辞書ＤＩＣに収められた４つの登録顔画像の中から検出し、検出された登録顔画像を探索用辞書画像として指定する。具体的には、検出された登録顔画像に対応する辞書画像番号が設定される。ＣＰＵ２６は続いて、再生画像エリア３２ｄを探索エリアとして指定し、顔探索命令を顔検出回路４０に向けて発行する。ここで発行される顔探索命令にも、上述の要領で設定ないし指定された辞書画像番号および探索エリアが記述される。
【００４７】
顔検出回路４０は、再生画像エリア３２ｄに格納された画像データをメモリ制御回路３０を通して読み出し、探索用辞書画像に符合する部分画像を読み出された画像データから探索し、そして顔探索結果を作成する。顔探索結果には、探索用辞書画像に符合する部分画像の探知／非探知を示す識別情報が記述される。また、上述と同様、識別情報が“探知”であれば、探知された部分画像のサイズおよび位置が顔探索結果に追記される。
【００４８】
ＣＰＵ２６は、こうして作成された顔探索結果を顔検出回路４０から取得し、取得された顔探索結果に記述された識別情報が“探知”を示すときにズーム倍率および基準位置を更新する。ズーム倍率および基準位置は、探知された部分画像がサムネイル画像上で拡大されるように調整される。
【００４９】
したがって、参照画像再生モードが選択され、かつ人物Ｐ＿Ｂの顔が各々に現れたスルー画像およびサムネイル画像が図８（Ａ）に示す要領でモニタ画面に表示されている状態で、シャッタボタン２８ｓｈが半押しされると、サムネイル画像が図８（Ｂ）に示す要領で拡大される。なお、ＡＥ／ＡＦエリアは、図８（Ｃ）に示す要領で設定される。
【００５０】
シャッタボタン２８ｓｈが全押しされると、ＣＰＵ２６は、静止画取り込み処理を自ら実行し、記録処理の実行をメモリＩ／Ｆ４２に命令する。シャッタボタン２８ｓｈが全押しされた時点のシーンを表す１フレームの画像データは、静止画取り込み処理によって後処理画像エリア３２ｂから記録画像エリア３２ｃ（図３参照）に退避される。メモリＩ／Ｆ４２は、記録画像エリア３２ｃに格納された１フレームの画像データをメモリ制御回路３０を通して読み出し、読み出された画像データを収めた画像ファイルを記録媒体４２に記録する。
【００５１】
ＣＰＵ２６は、図９〜図１０に示す撮影タスクおよび図１１〜図１３に示す参照画像再生タスクを含む複数のタスクをマルチタスクＯＳの制御の下で並列的に実行する。なお、これらのタスクに対応する制御プログラムは、フラッシュメモリ４６に記憶される。
【００５２】
図９を参照して、ステップＳ１では動画取り込みを開始し、ステップＳ３では動画表示を開始する。ステップＳ１の処理の結果、撮像面で捉えられたシーンを表す生画像データがイメージャ１６から出力され、これに対応するＹＵＶ形式の画像データが後処理回路３４から出力される。また、ステップＳ３の処理の結果、後処理回路３４から出力された画像データに基づくスルー画像がＬＣＤモニタ３８に表示される。
【００５３】
ステップＳ５ではシャッタボタン２８ｓｈが半押しされたか否かを判別し、判別結果がＮＯである限り、ステップＳ７で簡易ＡＥ処理を繰り返す。この結果、評価エリアＥＶＡに属する画像の明るさが適正値を示すように、露光量が調整される。
【００５４】
ステップＳ５の判別結果がＮＯからＹＥＳに更新されると、ステップＳ９で動画用顔検出処理を実行する。これによって、ＡＥ／ＡＦエリアの配置が調整される。ステップＳ１１では厳格ＡＥ処理を実行し、ステップＳ１３ではＡＦ処理を実行する。厳格ＡＥ処理はＡＥ／ＡＦエリアに属する一部のＡＥ評価値を参照して実行され、ＡＦ処理もまたＡＥ／ＡＦエリアに属する一部のＡＦ評価値を参照して実行される。この結果、ＡＥ／ＡＦエリアに属する画像の明るさおよび鮮鋭度が最適値を示すように、露光量およびフォーカスが調整される。
【００５５】
ステップＳ１５ではシャッタボタン２８ｓｈが全押しされたか否かを判別し、ステップＳ１７ではシャッタボタン２８ｓｈの操作が解除されたか否かを判別する。ステップＳ１７の判別結果がＹＥＳであればステップＳ５に戻り、ステップＳ１５の判別結果がＹＥＳであればステップＳ１９に進む。
【００５６】
ステップＳ１９では静止画取り込み処理を実行し、続くステップＳ２１では記録処理の実行をメモリＩ／Ｆ４２に命令する。シャッタボタン２８ｓｈが全押しされた時点のシーンを表す１フレームの画像データは、静止画取り込み処理によって後処理画像エリア３２ｂから記録画像エリア３２ｃに退避される。メモリＩ／Ｆ４２は、こうして退避された画像データをメモリ制御回路３０を通して記録画像エリア３２ｃから読み出し、読み出された画像データを収めた画像ファイルを記録媒体４２に記録する。ステップＳ２１の処理が完了すると、ステップＳ５に戻る。
【００５７】
ステップＳ９に示す動画用顔検出処理は、図１０に示すサブルーチンに従って実行される。ステップＳ３１では、顔探索辞書ＤＩＣに収められた一般顔画像を探索用辞書画像として指定するべく、辞書画像番号を“０”に設定する。ステップＳ３３では、後処理画像エリア３２ｂを探索エリアとして指定する。探索エリアの指定が完了すると、垂直同期信号Ｖｓｙｎｃが発生したか否かをステップＳ３５で繰り返し判別する。判別結果がＮＯからＹＥＳに更新されるとステップＳ３７に進み、顔探索命令を顔検出回路４０に向けて発行する。顔探索命令には、ステップＳ３１で設定された辞書画像番号とステップＳ３３で指定された探索エリアとが記述される。
【００５８】
顔検出回路４０は、後処理画像エリア３２ｂに格納された最新１フレームの画像データをメモリ制御回路３０を通して読み出し、探索用辞書画像に符合する部分画像を読み出された画像データから探索し、そして顔探索結果を作成する。顔探索結果には、探索用辞書画像に符合する部分画像の探知／非探知を示す識別情報が記述される。また、識別情報が“探知”であれば、探知された部分画像のサイズおよび位置が顔探索結果に追記される。
【００５９】
ステップＳ３９ではこうして作成された顔探索結果を顔検出回路４０から取得し、ステップＳ４１では取得された顔探索結果に記述された識別情報が“探知”を示すか否かを判別する。判別結果がＹＥＳであればステップＳ４３に進み、ＡＥ／ＡＦエリアのサイズおよび位置を顔探索結果に追記されたサイズおよび位置に合わせる。ＡＥ／ＡＦエリアの調整が完了すると、ステップＳ４５でフラグＦＬＦｆａｃｅを“１”に設定し、その後に上階層のルーチンに復帰する。
【００６０】
これに対して、ステップＳ４１の判別結果がＮＯであればステップ４７に進み、ＡＥ／ＡＦエリアのサイズおよび位置を評価エリアＥＶＡのサイズおよび位置に合わせる。ＡＥ／ＡＦエリアの調整が完了すると、ステップＳ４９でフラグＦＬＦｆａｃｅを“０”に設定し、その後に上階層のルーチンに復帰する。
【００６１】
図１１を参照して、ステップＳ５１では現時点の撮像モードが再生画像参照モードであるか否かを繰り返し判別する。判別結果がＮＯからＹＥＳに更新されると、記録媒体４４に記録された最新の画像ファイルをステップＳ５３で指定し、指定された画像ファイルの再生をステップＳ５５でメモリＩ／Ｆ４２に命令する。メモリＩ／Ｆ４２は、指定画像ファイルに格納された画像データを読み出し、読み出された画像データをメモリ制御回路３０を通して再生画像エリア３２ｄに書き込む。
【００６２】
ステップＳ５７ではサムネイル画像のズーム倍率および基準位置を初期化し、ステップＳ５９ではサムネイル表示の開始をＬＣＤドライバ３６に命令する。ＬＣＤドライバ３６は、再生画像エリア３２ｄに格納された画像データの全部または一部を上述のズーム倍率および基準位置を参照して読み出し、読み出された画像データに上述のズーム倍率に従うズーム処理を施し、そしてズーム処理によって作成されたサムネイル画像データに基づいてＬＣＤモニタ３８を駆動する。再生画像エリア３２ｄからの画像データの読み出しは、後処理画像エリア３２ｂからの画像データの読み出しと並列して実行される。この結果、サムネイル画像は、スルー画像に多重表示される。
【００６３】
ステップＳ６１では、フラグＦＬＧｆａｃｅが“１”を示すか否か（動画用顔検出処理によって顔画像が探知されたか否か）を判別する。判別結果がＮＯであればそのままステップＳ６５に進む一方、判別結果がＹＥＳであればステップＳ６３で再生画用顔検出処理を実行してからステップＳ６５に進む。サムネイル画像のズーム倍率および基準位置は、ステップＳ６３の処理によって調整される。
【００６４】
ステップＳ６５では画像更新操作が行われたか否かを判別し、ステップＳ６７ではモード切り換え操作が行われたか否かを判別する。ステップＳ６５の判別結果がＹＥＳであれば、記録媒体４４に記録された別の画像ファイルをステップＳ６９で指定し、その後にステップＳ５５に戻る。ステップＳ６７の判別結果がＹＥＳであれば、サムネイル表示の終了をＬＣＤドライバ３６に命令する。ＬＣＤドライバ３６は、再生画像エリア３２ｄからの画像データの読み出しを終了し、これによってサムネイル画像がＬＣＤモニタ３８から消失する。ステップＳ７１の処理が完了すると、ステップＳ５１に戻る。
【００６５】
ステップＳ６３に示す再生画用顔検出処理は、図１３に示すサブルーチンに従って実行される。ステップＳ８１では、動画用顔検出処理によって探知された顔画像に符合する登録顔画像を顔探索辞書ＤＩＣに収められた４つの登録顔画像の中から検出し、検出された登録顔画像を探索用辞書画像として指定する。具体的には、検出された登録顔画像に対応する辞書画像番号を設定する。
【００６６】
ステップＳ８３では再生画像エリア３２ｄを探索エリアとして指定し、ステップＳ８５では顔探索命令を顔検出回路４０に向けて発行する。ここで発行される顔探索命令にも、ステップＳ８１で設定された辞書画像番号とステップＳ８３で指定された探索エリアとが記述される。
【００６７】
顔検出回路４０は、再生画像エリア３２ｄに格納された画像データをメモリ制御回路３０を通して読み出し、探索用辞書画像に符合する部分画像を読み出された画像データから探索し、そして顔探索結果を作成する。顔探索結果には、探索用辞書画像に符合する部分画像の探知／非探知を示す識別情報が記述される。また、上述と同様、識別情報が“探知”であれば、探知された部分画像のサイズおよび位置が顔探索結果に追記される。
【００６８】
ステップＳ８７ではこうして作成された顔探索結果を顔検出回路４０から取得し、ステップＳ８９では取得された顔探索結果に記述された識別情報が“探知”を示すか否かを判別する。判別結果がＮＯであればそのまま上階層のルーチンに復帰し、判別結果がＹＥＳであればステップＳ９１でズーム倍率および基準位置を更新してから上階層のルーチンに復帰する。ステップＳ９１の処理の結果、ズーム倍率および基準位置は探知された部分画像がサムネイル画像上で拡大されるように調整される。
【００６９】
以上の説明から分かるように、イメージャ１６によって捉えられた撮像シーンを表すスルー画像は、イメージャ１６の処理と並列してＬＣＤモニタ３８に表示される(S1~S3)。また、記録媒体４４内の所望の画像ファイルに収められた画像データに基づくサムネイル画像は、スルー画像と並列してＬＣＤモニタ３８に表示される(S55~S59)。撮像シーンに現れた人物の顔に相当する顔を表す部分画像は、表示されたサムネイル画像の基礎となる画像データから探索される(S31~S41, S45, S61, S81~S87)。サムネイル画像の表示態様は、探知された部分画像が拡大されるように制御される(S89~S91)。
【００７０】
このように、スルー画像およびサムネイル画像は互いに並列して表示されるところ、撮像シーンに現れた人物の顔に相当する顔を表す部分画像がサムネイル画像の基礎となる画像データから探知されると、探知された部分画像が拡大されるようにサムネイル画像の表示態様が制御される。操作者は、拡大された部分画像を確認しながら記録操作のタイミングを図ることができ、これによって操作性が向上する。
【００７１】
なお、この実施例では、探索の対象として人物の顔を想定しているが、犬や猫などの動物の顔を探索するようにしてもよい。
【００７２】
また、この実施例では、マルチタスクＯＳおよびこれによって実行される複数のタスクに相当する制御プログラムは、フラッシュメモリ４６に予め記憶される。しかし、図１４に示すように通信Ｉ／Ｆ４８をディジタルカメラ１０に設け、一部の制御プログラムを内部制御プログラムとしてフラッシュメモリ４６に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００７３】
さらに、この実施例では、ＣＰＵ２６によって実行される処理を上述の要領で複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【符号の説明】
【００７４】
１０  …ディジタルカメラ
１６  …イメージャ
２０  …前処理回路
２６  …ＣＰＵ
２８  …キー入力装置
３２  …ＳＤＲＡＭ
３４  …後処理回路
【図１】
2014146993.tif 000003
【図２】
2014146993.tif 000004
【図３】
2014146993.tif 000005
【図４】
2014146993.tif 000006
【図５】
2014146993.tif 000007
【図６】
2014146993.tif 000008
【図７】
2014146993.tif 000009
【図８】
2014146993.tif 000010
【図９】
2014146993.tif 000011
【図１０】
2014146993.tif 000012
【図１１】
2014146993.tif 000013
【図１２】
2014146993.tif 000014
【図１３】
2014146993.tif 000015
【図１４】
2014146993.tif 000016